(57)【要約】【課題】経費が少なく及び固定又は調整手段から発生する案内ロッドへの不都合な力伝達を、可能な限り最大限まで回避する記録媒体の表面に対する走査装置の平行な方向付けを行う手段を提供することにある。【解決手段】本発明は、記録媒体の表面に対する走査装置の平行な方向付けを行う手段を伴う光学記録媒体用記録及び／又は再生装置に関し、その走査装置は、案内ロッド上に案内されるスライド上に配置される。  引っ張り要素が提供され、案内ロッドの固定及び調整手段から発生する案内ロッドの屈曲を引き起こす不都合な力伝達を回避するために、調整可能な方法で、案内ロッドの断面に対応する平面内で走査装置の案内ロッドがベースプレート上に固定される。引っ張り要素を用いて形成される固定及び調整装置は少数の個別部品を有し、案内ロッドは少ない経費でベースプレートの成形部分上に取り付けられ、及び固定又は調整手段から発生する案内ロッドへの不都合な力伝達を、可能な限り最大限回避する。固定及び調整装置は、記録媒体の表面に対する光学記録媒体用記録又は再生装置における走査装置の平行な方向付けを行うために特に提供される。【選択図】図２
2007514262.tif 000002
【特許請求の範囲】
【請求項１】
引っ張り要素（１）が提供され、それを用いて、走査装置（Ｐ）の案内ロッド（４）が、ベースプレート（７）上に固定され、固定又は調整手段から発生する前記案内ロッドの屈曲の原因となる不都合な力伝達が、調整可能な方法で、前記案内ロッド（４）の断面に対応する平面内で、回避されることを特徴とする、記録媒体（Ｄ）の表面に対する前記走査装置（Ｐ）の平行な方向付けを行う手段を伴う光学記録媒体用記録又は再生装置。
【請求項２】
調整ねじ（３）が前記案内ロッド（４）を調整するために提供され、前記調整ねじが前記ベースプレート（７）の成形部分（５）に配置され及び前記記録媒体（Ｄ）の表面に対する又は前記記録媒体（Ｄ）を受け取るディスクターンテーブル（Ｔ）の表面に対する前記走査装置（Ｐ）の平行な方向付けを行うために、前記調整ねじの端表面上に、前記案内ロッド（４）が、前記引っ張り要素（１）を用いて固定されることを特徴とする、請求項１に記載の記録又は再生装置。
【請求項３】
前記引っ張り要素（１）が机のような形に形成されたバネ要素であり及びその面取り部が前記案内ロッド（４）を前記調整ねじ（３）の端表面上に調整可能な方法で固定することを特徴とする、請求項１に記載の記録又は再生装置。
【請求項４】
前記引っ張り要素（１）が、前記ベースプレート（７）の成形部分（５）の切欠き（６）を嵌め込む及びバネ要素として前記成形部分（５）を取り囲む突起（Ｎ）を伴い具体化され、前記バネ要素が自留していることを特徴とする、請求項１に記載の記録又は再生装置。
【請求項５】
前記案内ロッド（４）の断面に対応する平面内での前記引っ張り要素（１）を用いた前記案内ロッド（４）の固定が、前記案内ロッド（４）の周囲で三点固定として提供されることを特徴とする、請求項１に記載の記録又は再生装置。
【請求項６】
前記引っ張り要素（１）が、前記案内ロッド（４）の前記成形部分（５）上への線形固定のために提供されたビーズ（２）を有し、及び前記案内ロッド（４）が前記調整ねじ（３）を用いて前記案内ロッド（４）の線形固定に対してある角度をなして調整されうることを特徴とする、請求項１に記載の記録又は再生装置。
【請求項７】
互いに対してある角度をなして配置される２つの肢を有する成形部分（５）が前記ベースプレート（７）上に提供され、その肢上に前記案内ロッド（４）が調整可能な方法で前記引っ張り要素（１）を用いて固定されることを特徴とする、請求項１に記載の記録又は再生装置。
【請求項８】
互いに対してある角度をなして配置される２つの肢を有する成形部分（５）が前記ベースプレート（７）上に提供され、その肢のうち１つの肢が、ねじ穴で、前記記録媒体（Ｄ）の表面に対する前記案内ロッド（４）の平行な方向付けを行うために調整ねじ（３）を受け取り、及びもう一方の肢がリブ（Ｒ）を有し及び前記引っ張り要素（１）が前記案内ロッド（４）を前記調整ねじ（３）の端表面とともに及び前記ベースプレート（７）の前記成形部分（５）の前記肢の前記リブ（Ｒ）上で支えるように調整可能な方法で固定することを特徴とする、請求項１に記載の記録又は再生装置。
【請求項９】
前記調整ねじ（３）の端表面の中心、前記ベースプレート（７）の成形部分（５）の肢のリブ（Ｒ）及び前記引っ張り要素（１）のビーズ（２）が、前記案内ロッド（４）の断面に対応する平面内に配置されることを特徴とする、請求項８に記載の記録又は再生装置。
【請求項１０】
前記引っ張り要素（１）が机のようなバネ要素であり、その面取り部により前記案内ロッド（４）が前記ベースプレート（７）の成形部分（５）上に配置され、その際前記調整ねじ（３）が前記成形部分（５）を包み込むことにより調整可能な方法で配置されることを特徴とする、請求項１に記載の記録又は再生装置。
【発明の詳細な説明】
【技術分野】
【０００１】
本発明は、記録媒体の表面に対する走査装置の平行な方向付けを行う手段を伴う光学記録媒体用記録及び／又は再生装置に関し、走査装置は案内ロッドを用いて案内されるスライド上に配置される。案内ロッドを固定するために、固定又は調整手段から発生する案内ロッドへの不都合な力伝達を可能な限り最大限まで回避する固定及び調整装置が提供される。
【背景技術】
【０００２】
光学記録及び／又は再生装置の例は、ＣＤ又はＤＶＤプレーヤー及び光学記録媒体からデータを読み取る又は記録媒体にデータを書き込むいわゆるピックアップと呼ばれる光学走査装置を装備した対応レコーダーである。光学記録媒体のデータを読み取る又は光学記録媒体にデータを書き込む光線、つまりレーザービームは、光学記録媒体のトラック上に案内され及び集光され、及び情報の最適な記録又は再生のために記録媒体の表面に対して垂直に方向付けられねばならない。記録媒体の全記録及び／又は再生領域が走査できるために、光学走査装置は通常記録媒体の表面に対して平行に移動するスライド上に配置される。記録媒体と走査装置間の平行案内を確実にするために、スライドすなわち記録媒体の表面に平行なスライドの案内ロッドの移動の方向に対して記録媒体を受け取るディスクターンテーブルのモータに方向付けることが既に知られている。記録媒体の表面に対するスライドの案内ロッドの平行な方向付け又は調整は、好都合なことに、案内ロッドの締め付け場所の大きい空間のために及び記録媒体の回転軸に対して高感度及び高精度で実行できる。しかし、案内ロッドの固定及び調整に必要な及び案内ロッドの屈曲の原因となる力が案内ロッドに伝わることを防止するために、更なる手段が必要とされることは不都合である。
【発明の開示】
【発明が解決しようとする課題】
【０００３】
従って、本発明の目的は、経費が少なく及び固定又は調整手段から発生する案内ロッドへの不都合な力伝達を、可能な限り最大限まで回避する記録媒体の表面に対する走査装置の平行な方向付けを行う手段を提供することにある。
【課題を解決するための手段】
【０００４】
本目的は、独立した請求項に明記された特徴を用いて達成される。有利な改良点は従属した請求項に明記されている。
【０００５】
本発明の１つの側面は、経費が少なく及び案内ロッドの固定及び調整のために必要な力を案内ロッドに伝達しない、光学記録媒体用記録及び／又は再生装置の光学走査装置のスライドの案内ロッドを固定及び調整する手段を提供することである。光学走査装置の案内ロッドのストレスのない固定及び調整は、特に、それを用いてＣＤ、ＤＶＤ又はブルーディスクといった光学記録媒体が走査されねばならない高精度のために必要である。図示の関係で、ＥＣＭＡ−２６７規格によるＤＶＤのトラッキング間隔はちょうど０．７４μｍであり及び８０ｍｍ長で３ｍｍ径のシャフトは、３ｍｍの距離で端部領域に作用する１５Ｎの力の場合４３μｍの湾曲部を有することが言及される。従って、例えば、ストレスのない方法で案内ロッドを受け取り、及びねじとバネを用いてストレスのない方法で調整されうる少なくとも１つの端要素を含むストレスのない固定及び調整装置が使用される。こうした端要素は不都合にも、取り付け及び個々の部品の数の両方に関して経費がかかる。
【０００６】
固定又は調整手段から発生する光学走査装置の案内ロッドへの不都合な力伝達が、低い経費で可能な限り最大限回避されるために、案内ロッドを調整可能な方法で案内ロッドの断面に対応する平面内でベースプレートの成形部分上に固定する引っ張り要素と調整ねじを含む固定及び調整装置が提供される。引っ張り要素は重ね板バネから形成され、例えば、ベースプレートの成形部分を包み込み及び案内ロッドをベースプレートの成形部分上に調整できるように固定する。重ね板ばねから形成される引っ張り要素は、案内ロッドを調整するために提供される調整ねじの調整方向と対称に及びそれに対して交叉状に配置されるビーズを有する。ビーズが調整ねじの調整方向に対して配置される角度は、机のような形に形成された引っ張り要素の面取り部により形成される。引っ張り要素のビーズが調整ねじの調整方向と対称に及びそれに対して交叉状に配置されるという事実は、案内ロッドの断面に対応する平面内において、案内ロッドの線形固定が達成されることを意味し、それにより案内ロッドの屈曲をもたらす案内ロッドへの不都合な力伝達を可能な限り最大限回避する。
【０００７】
引っ張り要素のビーズは、案内ロッドと接線方向に接触し、案内ロッドの調整領域における案内ロッドの点状又は線状の固定を確実にする。ビーズ、調整ねじ及び、適切な場合、ベースプレートの成形部分のリブは、それらが、案内ロッドの断面に対応する平面内において、案内ロッドの固定から発生する曲げ力の発生を可能な限り最大限回避する案内ロッドの三点固定を形成するように配置される。
【０００８】
引っ張り要素は、ベースプレートの成形部分を包み込む及び案内ロッドを調整可能な方法で、ベースプレートの成形部分上に少ない経費で固定するバネ要素として取り付けられる。
【０００９】
引っ張り要素の方向付けに対して及び案内ロッドの断面に対応する平面内において調整可能な方法で案内ロッドが固定されるのを確実にするために、引っ張り要素は、引っ張り要素が移動するのを防ぐ目的で成形部分の切欠きに嵌め込む突起を有する。ベースプレートの成形部分は角状片として提供され、その１つの肢が調整ねじを受け取り及びそのもう一方の肢がリブを形成し、例えば、そのリブ上で案内ロッドが調整方向に案内される。
【００１０】
固定及び調整装置はわずかな個別部品を必要とし、及び案内ロッドの取り付けもまた少ない費用ですむ。
【００１１】
本発明は、図面に示された例示的な実施形態に基づいて詳細に説明される。
【発明を実施するための最良の形態】
【００１２】
参照符号は以下の図面と一致して使用される。図１は、案内ロッド４の概略図を示し、それは、ビーズ２を有する引っ張り要素１、ベースプレート７の成形部分５及び調整ねじ３を含む本発明による固定及び調整装置を用いて１つの端部に保持される。案内ロッド４は移動可能なスライドを案内するために提供され、そのスライドは、光学記録媒体用記録及び／又は再生装置において、図２に示される記録媒体Ｄから読み取る又はそれに書き込むために提供される走査装置Ｐを担持する。走査装置Ｐは、情報を読み取る又は書き込むために、記録媒体Ｄに対して垂直に方向付けられねばならない光ビーム又はレーザービームを生成する。記録媒体Ｄの記録及び／又は再生領域における記録媒体Ｄの光学走査に対して、走査装置Ｐは、レーザービームを記録媒体Ｄに対して垂直に方向付けるために、記録媒体Ｄと平行に移動できる移動可能なスライド上に配置される。レーザービームが記録媒体Ｄに対して垂直に方向付けられることを確実にするために、記録媒体Ｄの記録及び／又は再生領域でスライド又は走査装置Ｐを平行に案内する少なくとも１つの案内ロッド４を備えておく。走査装置Ｐの平行案内には高精度が提供されねばならない、というのは、わずかな偏向でさえ、光学走査及び記録媒体Ｄの情報トラックの少ない寸法のために記録及び／又は再生に不利な影響を及ぼすからである。光学記録媒体Ｄの情報トラックの寸法は、より高い情報記録密度のためにさらに削減される。光学走査装置Ｐは、通常、レーザービームの高精度なトラッキングと集束のため及び、適切な場合には、レーザービームを記録媒体Ｄに対して垂直に方向付けるためにも優れた駆動回路及び多数のサーボ調整回路を有する。しかし、優れた駆動回路及びサーボ調整回路は、特に、ディスクターンテーブルＴ上で回転する記録媒体Ｄの所定の平面からの偏向を補正するために提供される。走査装置Ｐの案内から発生する前記平面に対する偏向は、すでに不都合にも、所定の平面からの記録媒体Ｄの偏向に対して提供されうる調整範囲を制限している。従って、光学記録媒体用記録及び／又は再生装置は、記録媒体Ｄの可能な全記録及び／又は再生領域において走査ビームを記録媒体上Ｄに対して垂直に方向付ける目的で、記録媒体Ｄに対する走査装置Ｐの平行案内又は走査装置Ｐの移動の範囲により形成される平面に対する記録媒体Ｄの平行な方向付けを設定するために使用される調整手段を有する。走査装置Ｐの移動の範囲により形成される平面に対する記録媒体Ｄの平行な方向付けに対して、記録媒体ＤのディスクターンテーブルＴをその軸上に支えるモータＭＴを調整することも可能である。モータＭＴ及び走査装置Ｐが案内される案内ロッド４はベースプレート７上に配置され、それにより対応する調整が実行できる。しかし、モータＭＴの固定及び調整手段間の距離が、走査装置Ｐが移動する範囲より小さいので、簡単な調整のために、案内ロッド４又は走査装置Ｐを記録媒体Ｄに対して方向付ける又は調整することは有益である。案内ロッド４に対する固定及び調整装置は、少数の個別部品を有することが意図され、及び取り付け及び調整は少ない費用で可能となることが意図されているので、図３に示される解決策がすでに提案されており、それは基本的に、調整ねじ３に対して、開口部Ｏに案内される案内ロッド４を押し付けるつる巻きバネＳを含む。つる巻きバネＳは、ベースプレート７のウェブＷに固定される。しかし、締め付け場所からちょうど３ｍｍの距離で案内ロッド４に作用する１５Ｎの比較的低い力でも、８０ｍｍの有効な長さと３ｍｍの径を有する従来の案内ロッド４が使用される場合、４３μｍの案内ロッド４の屈曲がもたらされることが明らかとなる及び計算されうる。しかし、平行案内のこうした偏向をサーボ制御を用いて修正することは難しい、というのは、その偏向が、情報がＤＶＤ上に記録される平面間の最小許容距離よりすでに大きいからである。従って、ディスクターンテーブルＴのモータＭＴの調整以上の利点を利用するためには、高い経費を必要とし、多数の個別部品を含み及びストレスのない方法で案内ロッド４を受け取る固定及び調整装置が使用される。
【００１３】
それにもかかわらず経費、個別部品の数及び取り付け経費を削減するために、図３を除いた図面に示される固定及び調整装置が提供され、それは走査装置Ｐを記録媒体Ｄに平行に方向付けるのに使用される。案内ロッド４を固定するのに必要な手段から発生する不都合な力伝達は、固定及び調整手段が案内ロッド４の断面に対応する線又は平面内に配置されるという事実のおかげで、図４の斜視図に示される固定及び調整装置を用いて可能な限り最大限回避される。この線Ｌは図５で明記され、それは、示された平面図において、本発明による固定及び調整装置の中心線を形成する。この目的のために、ビーズ２を伴う引っ張り要素１が提供され、それは最も長い範囲の中心が調整ねじ３の中心点を用いて案内ロッド４の断面に対応する平面を形成するように配置される。このことにより案内ロッド４の線形固定がもたらされ、それを用いて案内ロッド４の固定から発生する曲げ力が可能な限り最大限回避される。案内ロッド４を固定する際の線形の方向付けは、記録媒体Ｄの表面に対する走査装置Ｐの平行な方向付けに対する案内ロッド４の調整の間でさえ変更されない。案内ロッド４は、対応してねじ込まれる又は外される調整ねじ３により調整され、記録媒体Ｄの表面に対する案内ロッド４の平行な方向付けは、コリメータを用いて既知の方法で定められる。コリメータは、所定の位置に対するある物体の位置を決定する光学測定装置であり、その結果、それは特に調整に適している。しかし原則として、例えば、所定の位置から偏向を定めるダイヤル目盛りといった他のすべての既知の手段を使用することも可能である。その後案内ロッド４は、図９に示されるように、後に記録媒体Ｄを受け取るディスクターンテーブルＴの表面に対して調整される。
【００１４】
調整ねじ３をベースプレート７の成形部分５のねじ穴にねじ込む又は外すことにより案内ロッド４が上がり又は下がり、その結果案内ロッド４と記録媒体Ｄの表面間の距離が対応して減少する又は増大する。図６及び図７に示されるように、案内ロッド４を調整ねじ３の端表面上に弾力的に押し付ける引っ張り要素１は、調整ねじ３のねじ付けにより広げられ及び案内ロッド４をベースプレート７上又はベースプレート７の成形部分５上に固定的に締め付ける。ベースプレート７の成形部分５は、角状片として提供され、その肢は、尖った形に形成された調整ねじ３の端表面、及び成形部分５のリブＲを用いて案内ロッド４の軸受け領域又は休息領域を形成する。リブＲは同様に、その中心線が図５に示される線Ｌに対応するように形成され、それにより案内ロッド４に対して垂直に走る案内ロッド４の三点締め付けが、引っ張り要素１のビーズ２、リブＲ及び調整ねじ３を用いて形成される。リブＲ又は成形部分５の肢により形成される案内ロッド４の軸受け領域は、記録媒体Ｄの表面に対してほぼ垂直に配置され、及び調整ねじ３を受け取る成形部分５の肢は、記録媒体Ｄの表面に対してほぼ平行に配置される。それにより記録媒体Ｄに対して基本的に垂直に方向付けられる距離が、調整ねじ３を用いて設定される。図示された例示的な実施形態に対応する引っ張り要素１は、重ね板バネから作り出され及びクリップのように案内ロッド４と成形部分５の両方を抱え込む。引っ張り要素１は机のような形に形成され、及びビーズ２を保持し及びリブＲと調整ねじ３の端表面の両方で方向付けられる面取り部を有する。引っ張り要素１は、更なる固定要素が必要ないように自留する形で提供され、及びこの目的のために、１つの端部に、成形部分５の切欠き６に嵌め込む突起Ｎを有する。引っ張り要素１の別の端部は、成形部分５の肢により形成される角の背後で結合する。ビーズ２を担持する引っ張り要素１の面取り部を用いて、案内ロッド４がリブＲで及び調整ねじ３の端表面上で保持される。引っ張り要素１の面取り部が調整ねじ３の端表面に対する角度で提供されるという事実のおかげで、調整ねじ３がねじ込まれたとき、引っ張り要素１の突起Ｎが成形部分５の切欠き６から一部引き出される。図８に示されるような本発明による固定及び調整装置の分解図は、常に必要な調整ねじ３に加えて、案内ロッド４をベースプレート７の成形部分５上に調整可能なやり方で固定するためには、引っ張り要素１だけが必要であることを示している。案内ロッド４の縦方向への方向付けを簡単にするために、成形部分５により形成される心棒Ｓがさらに提供される。固定及び調整装置は、ディスクターンテーブルＴの軸から最も離れた案内ロッド４の端部に少なくとも１回提供される。案内ロッド４のもう一方の端部は、図１に示されるように、既知の方法でベースプレート７上の固定ねじＦを用いて固定される。さらに、その図面は、図２に示されるように、モータＭＧにより駆動される方法で走査装置Ｐを移動するのに使用される歯車機構Ｇを示している。
【００１５】
ここに記載された実施形態は、例示としてのみ明記され及び当業者は本発明の範囲内にある本発明の別の実施形態を実現することができる、というのは、引っ張り要素もまた、例えばバネワイヤから形成できるからである。
【図面の簡単な説明】
【００１６】
【図１】案内ロッドに対する本発明による固定及び調整装置の概略図を示している。
【図２】記録媒体の表面に対する走査装置の平行な方向付けに対する本発明による手段を用いた光学走査装置の概略的な側面図を示している。
【図３】案内ロッドに対する既知の固定及び調整装置の概略図を示している。
【図４】案内ロッドに対する本発明による固定及び調整装置の概略図を斜視図で示している。
【図５】案内ロッドに対する本発明による固定及び調整装置の概略図を平面図で示している。
【図６】案内ロッドに対する本発明による固定及び調整装置の概略図を側面図で示している。
【図７】案内ロッドに対する本発明による固定及び調整装置の調整前後の概略図を側面図で示している。
【図８】案内ロッドに対する本発明による固定及び調整装置の概略図を分解図で示している。
【図９】本発明による方法で記録媒体の表面に対して平行に方向付けられる案内ロッドの概略図を側面図で示している。
【符号の説明】
【００１７】
１  引っ張り要素
２  ビーズ
３  調整ねじ
４  案内ロッド
５  成形部分
６  切欠き
７  ベースプレート
Ｄ  記録媒体
Ｆ  固定ねじ
Ｇ  歯車機構
Ｌ  線
ＭＴ  モータ
Ｎ  突起
Ｏ  開口部
Ｐ  走査装置
Ｒ  リブ
Ｓ  つる巻きバネ
Ｔ  ディスクターンテーブル
Ｗ  ウェブ
【図１】
2007514262.tif 000003
【図２】
2007514262.tif 000004
【図３】
2007514262.tif 000005
【図４】
2007514262.tif 000006
【図５】
2007514262.tif 000007
【図６】
2007514262.tif 000008
【図７】
2007514262.tif 000009
【図８】
2007514262.tif 000010
【図９】
2007514262.tif 000011
【手続補正書】
【提出日】平成18年6月12日(2006.6.12)
【手続補正１】
【補正対象書類名】特許請求の範囲
【補正対象項目名】請求項１
【補正方法】変更
【補正の内容】
【請求項１】
引っ張り要素（１）が提供され、それを用いて、案内ロッド（４）の屈曲をもたらす力伝達を回避するために、前記案内ロッド（４）の断面に対応する平面内で走査装置（Ｐ）の前記案内ロッド（４）が、調整可能な方法でベースプレート（７）上に固定されることを特徴とする、記録媒体（Ｄ）の表面に対する前記走査装置（Ｐ）の平行な方向付けを行う手段を伴う光学記録媒体用記録又は再生装置。
【国際調査報告】
2007514262.tif 000012
2007514262.tif 000013
2007514262.tif 000014